(57)【要約】      （修正有）【課題】フロントガラスへの小物類の映り込みを防止する自動車ダッシュボード用小物置きマット及び自動車ダッシュボード用小物入れトレーを提供する。【解決手段】上面２ａと下面２ｂとの両方に滑り止め手段が設けられているマット本体２及び底部の上面及び底部の下面の両方に滑り止め手段が設けられているトレー本体と、上面２ａ及び開口した上部を被覆するカバー体及びカバー体とを備え、カバー体及びカバー体は、フロントガラスへの小物の映り込みが防止可能な素材とする。【選択図】図１
2015189314.tif 000002
【特許請求の範囲】
【請求項１】
上面と下面との両方に滑り止め手段が設けられているマット本体と、
前記上面を被覆するカバー体とを備え、
前記カバー体は、フロントガラスへの小物の映り込みが防止可能な素材からなることを特徴とする自動車ダッシュボード用小物置きマット。
【請求項２】
前記マット本体は矩形状であり、
前記カバー体は、黒系色の素材からなり、前記マット本体と一辺で止着され、前記上面が全て被覆されることを特徴とする請求項１に記載の自動車ダッシュボード用小物置きマット。
【請求項３】
前記カバー体は、紫外線をカットする加工が施されていることを特徴とする請求項１及び請求項２に記載の自動車ダッシュボード用小物置きマット。
【請求項４】
底部の上面及び底部の下面の両方に滑り止め手段が設けられているトレー本体と、
前記上面を被覆するカバー体とを備え、
前記カバー体は、フロントガラスへの小物の映り込みが防止可能な素材からなることを特徴とする自動車ダッシュボード用小物入れトレー。
【請求項５】
前記トレー本体は上部を開口した有底箱状であり、
前記カバー体は、黒系色の素材からなり、前記トレー本体と一辺で止着され、前記開口した上部が全て被覆されることを特徴とする請求項３に記載の自動車ダッシュボード用小物入れトレー。
【請求項６】
前記カバー体は、紫外線をカットする加工が施されていることを特徴とする請求項４及び請求項５に記載の自動車ダッシュボード用小物入れトレー。
【発明の詳細な説明】
【技術分野】
【０００１】
本発明は、自動車ダッシュボード用小物置きマット及び自動車ダッシュボード用小物入れトレーに関する。
【背景技術】
【０００２】
自動車を運転する際に、運転者は、自動車のダッシュボード上や、助手席のシート上に、携帯電話，キーホルダー，眼鏡，財布，書類，煙草などの小物類を便宜的に置くことがよくある。ダッシュボードの上面はなだらかな曲面で構成されており、比較的滑り易い材質からなるので、小物類を置いたまま走行すると、発進や停止時、コーナリングにより、小物類がダッシュボード上を滑って左右に移動したり落下したりする。これを防止する技術として、特許文献１が知られている。
【０００３】
この特許文献１に開示された技術は、シリコーンゴム又はブチルゴムなどの極柔軟性ゴムからなるシートであって、シートの両面が吸着性に富み、その吸着面に小物を載せることによって小物が滑動し、さらには落下することを防止し、吸着面が汚れても水洗いして吸着性を回復させることによって、繰り返し使用可能であるというものである（特許文献１を参照。）。
【先行技術文献】
【特許文献】
【０００４】
【特許文献１】特開２００４−９９７１９号公報
【発明の概要】
【発明が解決しようとする課題】
【０００５】
しかしながら、この従来の技術は、小物類が自動車の外側から見えるので、運転者が小物類を車中に置いたまま、車から離れている間に盗まれる危険があった。
【０００６】
また、直接日光が当たり、小物類が変色したり、品質劣化するという問題もあった。
【０００７】
さらに、運転中にフロントガラスに小物類が反射して映り込み、運転者は集中して運転できないという問題もあった。
【０００８】
そこで、本発明が解決しようとする課題は、自動車の外側から小物類が見えて盗難にあうのを防止するとともに、直射日光の影響で小物類の変色や品質の劣化等を防止し、さらには、フロントガラスへの小物類の映り込みを防止する自動車ダッシュボード用小物置きマット及び自動車ダッシュボード用小物入れトレーを提供することである。
【課題を解決するための手段】
【０００９】
この発明は、前記課題を解決するためになされたもので、請求項１に記載の自動車ダッシュボード用小物置きマットは、上面と下面との両方に滑り止め手段が設けられているマット本体と、前記上面を被覆するカバー体とを備え、前記カバー体は、フロントガラスへの小物の映り込みが防止可能な素材からなることを特徴としている。
【００１０】
請求項１に記載の自動車ダッシュボード用小物置きマットによれば、マット本体の上面と下面に滑り止め手段が設けられているので、マット本体をダッシュボード上にしっかり固定することができ、また、小物類をマット本体の上面にしっかり固定することができる。つまり、車の発進や停止時、コーナリング時の小物類の滑動や落下を防止することができる。
【００１１】
また、請求項１に記載の自動車ダッシュボード用小物置きマットによれば、フロントガラスへの小物の映り込みが防止可能な素材からなるカバー体を備えているので、マット本体上面に置いた小物類をカバー体で被覆することで、小物類の反射像（影）がフロントガラスに映らなくなる。従って、運転者は小物類の反射像（影）を気にすることなく集中して安全に運転することができる。
【００１２】
請求項２に記載の自動車ダッシュボード用小物置きマットは、請求項１において、前記マット本体は矩形状であり、前記カバー体は、黒系色の素材からなり、前記マット本体と一辺で止着され、前記上面が全て被覆されることを特徴としている。
【００１３】
請求項２に記載の自動車ダッシュボード用小物置きマットによれば、請求項１の効果に加えて、カバー体が黒系色の素材からなるので、小物類がカバー体で被覆されると、車外から見えなくなり、盗難防止を図ることができる。また、カバー体はマット本体と一辺で止着されているので、運転者は、片手で容易に、カバー体を捲り、必要な小物を取り出して、カバー体を元の被覆状態に戻すことができる。
【００１４】
請求項３に記載の自動車ダッシュボード用小物置きマットは、請求項１又は請求項２において、前記カバー体は、紫外線をカットする加工が施されていることを特徴としている。
【００１５】
請求項３に記載の自動車ダッシュボード用小物置きマットによれば、請求項１又は請求項２の効果に加えて、カバー体は、紫外線をカットする加工が施されているので、小物類を載置しての長時間走行や、小物類を車中に長時間放置しても、カバー体で被覆されていることで、紫外線を防止することができ、小物類の変色や品質劣化を防ぐことができる。
【００１６】
請求項４に記載の自動車ダッシュボード用小物入れトレーは、底部の上面及び底部の下面の両方に滑り止め手段が設けられているトレー本体と、前記上面を被覆するカバー体とを備え、前記カバー体は、フロントガラスへの小物の映り込みが防止可能な素材からなることを特徴としている。
【００１７】
請求項４に記載の自動車ダッシュボード用小物入れトレーによれば、トレー本体底部の上面及び底部の下面に滑り止め手段が設けられているので、トレー本体をダッシュボード上にしっかり固定することができ、また、小物類をトレー本体の上面にしっかり固定することができる。つまり、車の発進や停止時、コーナリング時の小物類の滑動や落下を防止することができる。
【００１８】
また、請求項４に記載の自動車ダッシュボード用小物入れトレーによれば、フロントガラスへの小物の映り込みが防止可能な素材からなるカバー体を備えているので、トレー本体底部の上面に置いた小物類をカバー体で被覆することで、小物類の反射像（影）がフロントガラスに映らなくなる。従って、運転者は小物類の反射像（影）を気にすることなく集中して安全に運転することができる。
【００１９】
請求項５に記載の自動車ダッシュボード用小物入れトレーは、請求項４において、前記トレー本体は上部を開口した有底箱状であり、前記カバー体は、黒系色の素材からなり、前記トレー本体と一辺で止着され、前記開口した上部が全て被覆されることを特徴としている。
【００２０】
請求項５に記載の自動車ダッシュボード用小物入れトレーによれば、請求項４の効果に加えて、カバー体が黒系色の素材からなるので、小物類がカバー体で被覆されると、車外から見えなくなり、盗難防止を図ることができる。また、カバー体はトレー本体と一辺で止着されているので、運転者は、片手で容易に、カバー体を捲り、必要な小物を取り出して、カバー体を元の被覆状態に戻すことができる。
【００２１】
また、請求項５に記載の自動車ダッシュボード用小物入れトレーによれば、形状が有底箱状であるので、トレー本体上面の滑り止め効果が弱くなって、小物類が滑動しても、トレー本体周囲に設けられた枠により落下を防ぐことができる。
【００２２】
請求項６に記載の自動車ダッシュボード用小物入れトレーは、請求項４及び請求項５において、前記カバー体は、紫外線をカットする加工が施されていることを特徴としている。
【００２３】
請求項６に記載の自動車ダッシュボード用小物入れトレーによれば、請求項４及び請求項５の効果に加えて、カバー体は、紫外線をカットする加工が施されているので、小物類を載置しての長時間走行や、小物類を車中に長時間放置しても、カバー体で被覆されていることで、紫外線を防止することができ、小物類の変色や品質劣化を防ぐことができる。
【発明の効果】
【００２４】
この発明によれば、自動車の外側から小物類が見えて盗難にあうのを防止するとともに、直射日光の影響で小物類の変色や品質の劣化等を防止し、さらには、フロントガラスへの小物類の映り込みを防止する自動車ダッシュボード用小物置きマット及び小物入れトレーを提供することができる。
【図面の簡単な説明】
【００２５】
【図１】本発明の一実施形態に係る自動車ダッシュボード用小物置きマットの斜視図である。
【図２】マット本体の縦断面図である
【図３】カバー体がマット本体の上面を被覆している状態を示す図である。
【図４】本発明の一実施形態に係る自動車ダッシュボード用小物入れトレーの斜視図である。
【図５】トレー本体底部の下面に滑り止め手段が施されている状態を示す図である。
【図６】カバー体がトレー本体の開口した上部を被覆している状態を示す図である。
【図７】トレー本体の縦断面図である。
【発明を実施するための形態】
【００２６】
以下、本発明を適用した具体的な実施の形態について、図面を参照しながら詳細に説明する。本発明は、例えば、図１乃至図３に示すような構成の自動車ダッシュボード用小物置きマット１及び図４乃至図７に示すような自動車ダッシュボード用小物入れトレー５に適用される。
【実施例１】
【００２７】
先ず、図１乃至図３を参照して、自動車ダッシュボード用小物置きマット１の構成の概略について説明する。この自動車ダッシュボード用小物置きマット１は、図１に示すように、上面２ａと下面２ｂとの両方に滑り止め手段が設けられているマット本体２とマット本体２の上面を被覆するカバー体３とを主要部として備えている。
【００２８】
マット本体２は、例えば、シリコーン素材からなり、矩形状に成形されている。マット本体２は、素材をシリコーンとしたことにより、吸着性（弱い粘着性）を有するので、接着剤などの止着手段を用いることなくダッシュボードに吸着固定することができる。マット本体２は、ダッシュボードへの吸着固定と同様に、置いた小物に対しても吸着性を有するので、置いた小物も吸着固定することができる。
【００２９】
また、マット本体２は、シリコーンが、耐熱性，耐寒性に優れているため、真夏又は真冬の車内の気温変化にも耐えることができる。なお、マット本体２の素材は、シリコーンと同様の効果と物性を備えた素材であればよく、シリコーンに限定されない。
【００３０】
また、マット本体２は、上面２ａに置いた小物が、自動車の発進・停止時やコーナリングなどでずれても、マット本体２から落下しないように、縁部を小高くしてもよい。
【００３１】
さらに、マット本体２は、図２に示すように、上面２ａ及び下面２ｂの両方に凹凸加工が施され、より強固な滑り止め効果が得られるようになっている。
【００３２】
カバー体３は、反射しにくい黒系色の素材、例えば黒系色の布素材やナイロンからなり、フロントガラスへの小物の映り込みを防止できる。
【００３３】
カバー体３は、図３に示すように、上面２ａを被覆するように設けられ、黒系色の布素材からなるので、上面２ａに置いた小物類が車外から見えなくなり、盗難防止の効果が得られる。なお、カバー体３は、実施例１では、マット本体２の形状に合わせた矩形状としているが、マット本体上面２ａを被覆できる十分な大きさがあれば足り、マット本体２の形状に相対応するように、楕円形等その他の形状としてもよい。
【００３４】
また、カバー体３は、マット本体２と止着辺４で溶着又は接着されており、止着辺４をフロントガラス側に向けて設置したとき、片手で容易にカバー体３を捲り、小物を出し入れすることができるとともに、元の被覆状態にも片手で容易に戻すことができる。
【００３５】
さらに、カバー体３は、紫外線を吸収もしくは反射することによって紫外線を遮断する紫外線カット加工が施されており、小物類を載置しての長時間走行や、小物類を車中に長時間放置しても、紫外線を遮断することができるので、小物類の変色や品質劣化を防ぐことができる。
【実施例２】
【００３６】
次に、図４乃至図７を参照して、自動車ダッシュボード用小物入れトレー５の構成の概略について説明する。この自動車ダッシュボード用小物入れトレー５は、図４に示すように、底部の上面６ａ及び底部の下面６ｂの両方に滑り止め手段が設けられたトレー本体６と、トレー本体６の開口した上部を被覆するカバー体７とを主要部として備えている。
【００３７】
トレー本体６は、耐衝撃性，耐熱性及び耐久性に優れたポリプロピレン等の合成樹脂からなり、上部を開口した有底箱状に形成されている。また、トレー本体６は、底部の上面６ａの滑り止め効果が弱くなることで小物類が滑動しても、トレー本体６の周囲に設けられた壁面により落下を防ぐことができる。なお、トレー本体６の素材は、ポリプロピレン等の合成樹脂と同様の効果及び物性を備えた素材であればよく、ポリプロピレン等の合成樹脂に限定されない。
【００３８】
また、トレー本体６は、滑り止め効果のあるシートが底部の上面６ａと底部の下面６ｂのそれぞれに一体成形又は貼着されている。
【００３９】
カバー体７は、反射しにくい黒系色の素材、例えば黒系色の布素材やナイロンからなり、フロントガラスへの小物の映り込みを防止できる。
【００４０】
カバー体７は、図６に示すように、トレー本体６の開口した上部を被覆するように設けられ、黒系色の布素材からなるので、トレー本体６内に収容した小物類が車外から見えなくなり、盗難防止の効果が得られる。なお、カバー体３は、実施例２では、トレー本体６の形状に合わせた矩形状としているが、トレー本体６の開口した上部を被覆する十分な大きさがあれば足り、トレー本体６の形状に相対応するように、楕円形等その他の形状としてもよい。
【００４１】
また、カバー体７は、トレー本体６と止着辺８で溶着又は接着されており、止着辺８をフロントガラス側に向けて設置したとき、片手で容易にカバー体７を捲り、小物を出し入れすることができるとともに、元の被覆状態にも片手で容易に戻すことができる。
【００４２】
カバー体７は、紫外線を吸収もしくは反射することによって紫外線を遮断する紫外線カット加工が施されており、小物類を載置しての長時間走行や、小物類を車中に長時間放置しても、紫外線を防止することができ、小物類の変色や品質劣化を防ぐことができる。
【００４３】
以上のとおり、本発明によれば、マット本体２及びトレー本体６の底部の両面それぞれに、滑り止め手段を設けたことにより、車の発進や停止時、コーナリング時の小物類の滑動や落下を防止することができる。
【００４４】
また、本発明によれば、マット本体２及びトレー本体６は、フロントガラスへの小物の映り込みが防止可能な黒系色の布素材からなるカバー体３及びカバー体７を備えているので、運転者は小物類の反射像（影）を気にすることなく集中して安全に運転することができる。
【００４５】
また、本発明によれば、カバー体３及びカバー体７が黒系色の布素材であるので、小物類がカバー体３及びカバー体７で被覆されると、車外から見えなくなり、盗難防止を図ることができる。
【００４６】
さらに、本発明によれば、カバー体３及びカバー体７は、紫外線をカットする加工が施されているので、小物類を載置しての長時間走行や、小物類を車中に長時間放置しても、カバーで被覆されていることで、紫外線を防止することができ、小物類の変色や品質劣化を防ぐことができる。
【００４７】
なお、本発明は前述した実施の形態のみに限定されるものではなく、本発明の要旨を逸脱しない範囲において種々の変更が可能であることは勿論である。
【符号の説明】
【００４８】
１      自動車ダッシュボード用小物置きマット
２      マット本体
２ａ    上面
２ｂ    下面
３      カバー体
４      止着辺
５      自動車ダッシュボード用小物入れトレー
６      トレー本体
６ａ    底部の上面
６ｂ    底部の下面
７      カバー体
８      止着辺
【図１】
2015189314.tif 000003
【図２】
2015189314.tif 000004
【図３】
2015189314.tif 000005
【図４】
2015189314.tif 000006
【図５】
2015189314.tif 000007
【図６】
2015189314.tif 000008
【図７】
2015189314.tif 000009